(57)【要約】【課題】本発明は、エンドレス方式のウインチによりワイヤロープ等の紐状体を適切に移動し、ネット又はシートを空間部の外周の形状に応じて適切に吊り張りし、少ないスペースでウインチを設置できるエンドレス方式のウインチ、及び該ウインチを用いて空間部をネット又はシートで区画するシステムを提供することを課題とする。【解決手段】空間部を区画及び空間部内を間仕切りするためのネット又はシートを連結したワイヤロープ等の紐状体をループ状に又は巻取リングを組み合わせることでネット又はシートを連結したワイヤロープ等の紐状体を巻き取り及び引き出し移動するための巻回ドラムが駆動軸に取り付けられたエンドレス方式のウインチにおいて、前記巻回ドラムが同一駆動軸に外周縁に溝の形成された複数個のドラムを組み合わせ、且つ少なくとも内側のドラムのうちの１つを駆動軸に対してフリーの状態で構成する。【選択図】図１
2011168398.tif 000002
【特許請求の範囲】
【請求項１】
空間部の外周を区画及び空間部内を間仕切りするためにネット又はシートを連結したワイヤロープ等の紐状体をループ状に、又は巻取リングを組み合わせることでネット又はシートを連結したワイヤロープ等の紐状体を巻き取り及び引き出し移動するための巻回ドラムが駆動軸に取り付けられたエンドレス方式のウインナにおいて、前記巻回ドラムが、同一駆動軸に外周縁に溝の形成された複数個のドラムを組み合わせ、且つ少なくとも内側のドラムのうちの１つを駆動軸に対してフリーの状態で構成したことを特徴とするエンドレス方式のウインチ。
【請求項２】
エンドレス方式のウインチと滑車間でワイヤロープ等の紐状体をループ状に移動し、該ワイヤロープ等の紐状体に連結されたネット又はシートを移動することで空間部を区画するエンドレス方式のウインチを用いて空間部をネット又はシートで区画するシステムにおいて、ウインチの巻回ドラムを同一駆動軸に外周縁に溝が形成され、駆動軸で回転駆動するドラムと駆動軸に対してフリーのドラムを組み合わせて構成し、該回転駆動するドラムと隣り合う他のウインチの駆動軸に対してフリーのドラムの間にワイヤロープ等の紐状体をループ状に架設し、ネット又はシートを移動することを特徴とするエンドレス方式のウインチを用いて空間部をネット又はシートで区画するシステム。
【請求項３】
前記隣り合う巻回ドラムの駆動軸に巻取方式のウインチの巻取ドラムを取り付け、巻取ドラムよりワイヤロープ等の紐状体を引き出し移動及び巻き取り移動することでネット又はシートを昇降移動することを特徴とする請求項２に記載のエンドレス方式のウインチを用いて空間部をネット又はシートで区画するシステム。
【発明の詳細な説明】
【技術分野】
【０００１】本発明は、屋内外の空間部の外周を区画するネット又はシートを開閉移動するエンドレス方式のウインチ、及び該ウインチを用いて空間部をネット又はシートで区画するシステムに関する。
【背景技術】
【０００２】例えば、屋内の空間部の外周をネットで防球用として区画している施設として野球等の球技の屋内練習施設がある。【０００３】上記屋内練習施設は、空間部を広く利用して屋内練習をするために、空間部の外周に沿って防球用のネットを吊り張りしている。該防球用のネットの吊り張りは空間部を形成する側壁近傍の天井側に沿って取付具を設け、該取付具にネットの上端側を固定することでネットを上方より垂らした状態で吊り張りし、ネットの下端側に錘を取り付けることで適切に広げた状態とする。このように固定式のネットは、空間部への出入り口部分のみをネットを二重にして開口部としている。【０００４】しかしながら上記空間部内に大型の練習器具を持ち込む場合や取り出す場合は、固定式のネットを取り外す必要がある。【０００５】また、防球用のネットは、表面が磨耗及び破損し易く、上記固定式のネットではメンテナンス時にネットを取付具より順次取り外す作業が煩雑であるとともに、該作業が高所作業であるために危険を伴った。【０００６】そこで、ネットの取り外し作業が容易で、高所作業の少ない下記のようなネットを開閉移動するためのシステムが取り入れられた。即ち、ネットをレールに沿って移動するシステム、ネットを連結し、ループ状に架設したワイヤロープをエンドレス方式のウインチで移動するシステム、又はネットに連結した複数のワイヤロープを巻取方式のウインチで巻き取り移動するシステム等である。【０００７】先ず、ネットをレールに沿って移動するシステムは、空間部上方側にレールを取り付け、該レールに沿ってワイヤロープを取り付け、該ワイヤロープをウインチで移動することで、該レールに沿ってワイヤロープに連結したネットを吊り張り移動する。また、ループ状に架設したワイヤロープをエンドレス方式のウインチで移動するシステムは、空間部に沿ってループ状に架設し、ウインチで移動するワイヤロープと、該ワイヤロープに並行に架設したガイド用ワイヤロープと、該ガイド用ワイヤロープに移動自在に設けられ、その先端側をワイヤロープに連結したネットから構成され、ワイヤロープをウインチで移動することで、ネットを空間部に吊り張りする。また、ネットに連結した複数のワイヤロープを巻取方式のウインチで巻き取り移動するシステムは、複数台の巻取方式のウインチの巻取ドラムよりワイヤロープを引き出しその先端をネットの上部側に連結し、巻取ドラムを回転駆動することで、空間部にネットを吊り張りする。又は、ワイヤロープをネット上端側より下端側までネットに取り付けたリングに挿通し、ネットの下端側で錘に連結し、巻取ドラムを回転駆動することでネットを吊り張りする。【０００８】また、エンドレス方式のウインチの近傍に巻取リングを設け、該エンドレス方式のウインチで引っ張ったワイヤロープを巻取リングで巻き取ることで、上記巻取方式のウインチのように使用することも可能である。
【発明が解決しようとする課題】
【０００９】しかしながら、上記屋内練習施設の空間部は大空間部であるために例えば、レールを使用すると、該レールが長尺状となり複数のレールを繋いで対応しなければならない。このためレールの繋ぎ部分で段差が発生し易く、また、ネットが大面積であるためにレール部分にかかる荷重が大きい。従って段差や荷重のためにレールに沿ってスムーズにネットを開閉移動できない欠点があった。
【００１０】また、レールは空間部の直線状部分においては容易に設置することができるが、空間部の湾曲部分やコーナー部分においては湾曲したレールを形成して設置しなければならずコストがかかるとともに、この部分でネットの移動時に抵抗があり、スムーズなネットの移動ができない。
【００１１】また、ワイヤロープをエンドレス方式のウインチで移動する場合、ワイヤロープをウインチと滑車との間でループ状に架設するために、大空間部の外周に沿ってネットを吊り張りする場合は、複数台のウインチと滑車とを組み合わせて連続して架設する必要であり、１箇所にウインチ及び滑車の設置スペースを必要とし、設置スペースの確保が難しいという欠点がある。
【００１２】また、巻取方式のウインチでワイヤロープを巻き取り移動する場合は、ネットを空間部に昇降移動するために、天井側の形状により複数台の巻取方式のウインチの駆動のタイミングを調整しなけばならず、ネットの大きさによりその調整が煩雑である欠点があった。
【００１３】また、エンドレス方式のウインチの巻回ドラムへのワイヤロープの取り入れ側と取り出し側では、ネットの荷重による引っ張り力が相違し、巻回ドラム側への押圧が不十分となり、ワイヤロープに弛みや撓みが発生し易いという欠点があった。
【００１４】さらに、複数台のウインチを使用する場合は、ネットの開閉時に同期して駆動しなければならず、その同期に狂いが生じると適切なネットの開閉移動ができないという欠点があった。
【００１５】そこで、本発明はワイヤロープを弛み等なく適切に移動することが出来、ネットを空間部の外周の形状に応じて適切に吊り張りし、少ないウインチでネットを移動することができ、設置スペースの確保が容易なエンドレス方式のウインチ、及び該ウインチを用いて空間部をネット又はシートで区画するシステムを提供することを課題とする。
【課題を解決するための手段】
【００１６】本発明は上記課題を解決するためのエンドレス方式のウインチによる解決手段は、請求項１に記載のように、空間部を区画及び空間部内を間仕切りするためにネット又はシートを連結したワイヤロープ等の紐状体をループ状に又は巻取リングを組み合わせることでネット又はシートを連結したワイヤロープ等の紐状体を巻き取り及び引き出し移動するための巻回ドラムが駆動軸に取り付けられたエンドレス方式のウインチにおいて、前記巻回ドラムが同一駆動軸に外周縁に溝の形成された複数個のドラムを組み合わせ、且つ少なくとも内側のドラムのうち１つを駆動軸に対してフリーの状態で構成したことを特徴とする。
【００１７】上記課題を解決するためのエンドレス方式のウインチを用いて空間部をネット又はシートで区画するシステムによる解決手段は、請求項２に記載のように、エンドレス方式のウインチと滑車間でワイヤロープ等の紐状体をループ状に移動し、該ワイヤロープ等の紐状体に連結されたネット又はシートを移動することで空間部を区画するエンドレス方式のウインチを用いて空間部をネット又はシートで区画するシステムにおいて、ウインチの巻回ドラムを同一駆動軸に外周縁に溝が形成され駆動軸で回転駆動するドラムと、駆動軸に対してフリーのドラムを組み合わせて構成し、該回転駆動するドラムと隣り合う他のウインチの駆動軸に対してフリーのドラムの間にワイヤロープ等の紐状体をループ状に架設し、ネット又はシートを移動することを特徴とする。
【００１８】さらに、具体的には請求項３に記載のように、前記隣り合う巻回ドラムの駆動軸に巻取方式のウインチの巻取ドラムを取り付け、該巻取ドラムよりワイヤロープ等の紐状体を引き出し移動及び巻き取り移動することで、ネット又はシートを昇降移動することを特徴とする。
【発明の作用・効果】
【００１９】次に、本発明のエンドレス方式のウインチ、及び該ウインチを用いて空間部をネット又はシートで区画するシステムの作用及び効果について説明する。
【００２０】先ず、本発明のエンドレス方式のウインチは、駆動軸に設けられた巻回ドラムが、同一駆動軸に複数個の外周縁に溝の形成されたドラムを組み合わせ、しかも該ドラムのうち少なくとも内側の１つのドラムを駆動軸に対してフリーの状態とすることで構成されているために、ワイヤロープ等の紐状体を一方側より駆動軸で回転駆動するドラムで取り入れ、駆動軸に対してフリーのドラムの溝を利用して複数回巻回した後、回転駆動するドラムより取り出して移動する。
【００２１】この際、駆動軸に伴って回転駆動するドラムとフリーのドラムとは回転数が相違し、ワイヤロープ等の紐状体に弛みや撓みがあると、フリーのドラムにより撓み等の部分が引っ張られることで、該撓み等を解消でき駆動軸で回転駆動するドラムよりスムーズに取り出される。
【００２２】このため、常にワイヤロープ等の紐状体をトラブルなくスムーズに移動することができる。
【００２３】次に、該ウインチを用いて空間部をネット又はシートで区画するシステムについて説明する。
【００２４】先ず、エンドレス方式のウインチをネット又はシートを吊り張る周囲に沿って所望の間隔で取り付け、該ウインチの巻回ドラムを構成し、駆動軸により回転駆動するドラムと、所望の感覚を空けて隣り合う他のウインチの駆動軸に対してフリーのドラムとの間にワイヤロープ等の紐状体をループ状に順次架設することで、ワイヤロープ等の紐状体を空間部全体に架設する。
【００２５】次に、上記ウインチ間のワイヤロープ等の紐状体にネット又はシートの上端先端側を固定し、順次上端側に取り付けられたリングを挿通して取り付ける。
【００２６】その後、各エンドレス方式のウインチの駆動軸を回転駆動しワイヤロープ等の紐状体を架設間でそれぞれループ状に移動することで、該ワイヤロープ等の紐状体に連結されたネット又はシートを横方向に広げながら移動して空間部に吊り張りする。
【００２７】また、空間部を開放する場合は、各エンドレス方式のウインチの駆動軸を逆方向に回転駆動することで、ワイヤロープ等の紐状体を逆方向にループ移動し、ネット又はシートを横方向に収納移動して空間部を開放する。
【００２８】このため、１台のエンドレス方式のウインチで、駆動ドラムと滑車とを構成できるので設置スペース削減でき、その確保も容易である。
【００２９】また、エンドレス方式のウインチの設置位置を調整することで、長・短距離で水平方向に架設することができるので、湾曲した空間部でも容易に対応することができる。
【００３０】また、ワイヤロープ等の紐状体の移動に対して、駆動軸部分で回転駆動するドラムと、フリーのドラムを組み合わせ、ワイヤロープ等の紐状体による撓み等を解消することができる。
【００３１】上記はワイヤロープ等の紐状体に直接ネット又はシートを取り付けたが、架設されたワイヤロープ等の紐状体に並行してガイド用ワイヤロープ等の紐状体を架設し、該ガイド用ワイヤロープに移動自在に吊り張りされたネット又はシートの先端をワイヤロープ等の紐状体に連結することも可能である。
【００３２】この場合は、エンドレス方式のウインチの駆動軸を回転駆動し、ワイヤロープ等の紐状体を横方向に移動しネット又はシートをガイド用ワイヤロープ等の紐状体に沿って吊り張り移動し、駆動軸を逆方向に回転移動することで、ネット又はシートをガイド用ワイヤロープ等の紐状体に沿って収納移動する。
【００３３】また、隣り合うエンドレス方式のウインチの各駆動軸に巻取方式のウインチの巻取ドラムを回転駆動すべく取り付け、該巻取ドラムに巻き取りされたワイヤロープ等の紐状体を空間部の下方側に引き出し該ワイヤロープ等の紐状体にネット又はシートを連結する。
【００３４】そして、駆動軸を回転駆動し巻取ドラムを回転してワイヤロープ等の紐状体を所望量巻き取ることで、ネット又はシートを空間部の縦方向に沿って上昇して吊り張りする。
【００３５】これにより、例えば、空間部への出入り口部分に縦方向に移動するネット又はシートを取り付けることで、必要量のみネット又はシートを移動し、無駄のない開放ができる。
【００３６】このように、本発明はエンドレス方式のウインチの同一駆動軸に回転駆動するドラムとフリーのドラムを取り付けることで、各ドラムの設置スペースを共有でき少ないスペースにウインチ及び滑車を設置できる。
【００３７】また、ウインチの配置間を長・短距離と調整することで空間部の湾曲した部分であっても自在に対応することができる。
【００３８】しかも、巻回ドラムを構成する各ドラム数、回転駆動するドラムとフリーの状態のドラムを組み合わせることで、あらゆるワイヤロープ等の紐状体の架設方法に対応することができる。
【発明を実施するための最良の実施の形態】
【００３９】以下、本発明のエンドレス方式のウインチ、及び該ウインチを用いて空間部をネット又はシートで区画するシステムの一実施例について図面を用いて説明する。
【００４０】図１は本発明のエンドレス方式のウインチの基本構成を示す概略説明側面図であり、図２は駆動軸へのドラムの取り付け状況を示す概略説明正面図であり、図３図４は図１のエンドレス方式のウインチにワイヤロープ等の紐状体を巻き付けた状態を示す概略説明側面図であり、図５は図１のエンドレス方式のウインチを用いて空間部をネット又はシートで区画するシステムの基本構成を示す概略説明図であり、図６は図５に用いる滑車と滑車の組み合わせ状態を示す概略説明側面図であり、図７はエンドレス方式のウインチを用いて空間部をネット又はシートで区画するシステムの他実施例を示す概略説明図であり、図８は連続した空間部のワイヤロープ等の紐状体の移動を示す概略説明図であり、図９は巻取方式のウインチの巻取ドラムを駆動軸に取り付けた状態を示す概略説明側面図であり、図１０は図９の巻取ドラムを取り付けたウインチを用いて空間部をネット又はシートで区画するシステムを示す概略説明図であり、図１１はエンドレス方式のウインチの他実施例を示す概略説明側面図であり、図１２はワイヤロープ等の紐状体の径が相違する場合のエンドレス方式のウインチによる移動を示す概略説明図であり、図１３はエンドレス方式のウインチの各ドラムよりのワイヤロープ等の紐状体の取り付けを示す概略説明正面図である。
【００４１】本発明のエンドレス方式のウインチの基本構成は、１本の駆動軸３の設けられたウインチ本体１Ａと、該駆動軸３を回転駆動する駆動部〔図示せず〕とから構成され、駆動軸３には巻回ドラム２が取り付けられている。
【００４２】前記巻回ドラム２は、外周縁に略Ｖ字状の溝２０Ｂの形成された複数のドラム２０〔実施例では２０ａ、２０ｂ、２０ｃ、２０ｄの４個〕を組み合わせ、該ドラム２０は駆動軸３に固定し駆動軸３とともに回転するドラム２０〔実施例では２０ａ、２０ｄ〕と、駆動軸３に対してフリーの状態に取り付かれたドラム２０〔実施例では２０ｂ、２０ｃ〕から構成されている。尚、巻回ドラム２を構成するドラム２０の数、及び回転駆動するドラム２０と、フリーの状態のドラム２０との数はワイヤロープ５にかかる荷重（ネット６の面積）、架設するワイヤロープ５数などにより、自在に変更することができる。
【００４３】駆動軸３に伴って回転駆動するドラム２０の駆動軸３への取り付け方法は公知の方法を用い、例えば、駆動軸３に穿孔した孔２１にドラム２０中央孔に突出した突起ネジ３Ａを螺合することで取り付けたり、駆動軸３に形成された溝にドラム２０を嵌入したりすることで取り付ける。
【００４４】また、駆動軸３に対してフリーの状態でのドラム２０の取り付けは、例えばベアリングを介して駆動軸３に取り付ける。
【００４５】上記巻回ドラム２を駆動軸３に沿って回転駆動するドラム２０と駆動軸３に対してフリーの状態のドラム２０とで構成することで、該ドラム２０間に回転数の差を設け、巻回ドラム２に巻回したワイヤロープ５〔本発明では、ワイヤロープに限定されるものでなく強度のある樹脂製のロープ等も含む〕を回転駆動するドラム２０で駆動するとともにフリーの状態のドラム２０がワイヤロープ５の弛み等に応じてワイヤロープ５を溝２０Ｂに密着するよう引っ張られて回転し、ワイヤロープ５の弛み等を解消〔調整〕する。従って、回転駆動するドラム２０でワイヤロープ５を取り込みフリーのドラム２０との回転数の差で撓みを解消し、再度他の回転駆動するドラム２０よりワイヤロープ５を取り出し移動する。
【００４６】上記のように構成されたエンドレス方式のウインチを用いてワイヤロープ５をループ状に移動する場合は、一方のウインチ本体１Ａの巻回ドラム２を構成するドラム２０〔２０ａ、２０ｂ〕にワイヤロープ５を巻回し隣り合う他方のウインチ本体１Ａの巻回ドラム２を構成するドラム２０〔２０ｃ〕を滑車としてループ状に架設する。
【００４７】上記のように構成された、本発明のエンドレス方式のウインチを基本として、次に該エンドレス方式のウインチを用いて空間部をネット又はシートで区画するシステムの一実施例について説明する。
【００４８】本発明のエンドレス方式のウインチを用いて空間部をネット又はシートで区画するシステムは設置する空間部Ｋの外周に沿って、エンドレス方式のウインチ〔駆動部Ａ〕を複数台設置する。尚、空間部Ｋの大きさや形状に応じて複数の滑車としてドラム２０のみを固定軸４に取り付け〔伝達部Ｂ〕、各エンドレス方式のウインチ間に配置することも可能である。
【００４９】次に、エンドレス方式のウインチの巻回ドラム２を構成するドラム２０の回転駆動するドラム２０ａとフリーのドラム２０ｂ、及び隣り合うエンドレス方式のウインチの巻回ドラム２を構成するドラム２のフリーのドラム２０ｃ、又は伝達部Ｂを構成するフリーのドラム２０間にワイヤロープ５をそれぞれループ状に架設することで、空間部Ｋの外周に沿って連続したワイヤロープ５の架設をする。
「００５０」尚、上記ワイヤロープ５はそれぞれのループ間で別々のワイヤロープ５を使用したが、１本のワイヤロープ５を連続して架設することも可能であり、また、直線状の区間を１本のワイヤロープ５で架設し、湾曲部分を他のワイヤロープ５で架設することも可能である。
【００５１】次に、各架設したワイヤロープ５に、それぞれネット６の上端側に取り付けられたリングを移動自在に挿通し、先端側を該ワイヤロープ５に連結する。
【００５２】上記状態で、各エンドレス方式のウインチの駆動軸３を同期して回転駆動することで、架設したループ状のワイヤロープ５をそれぞれ移動し、ネット６の先端側を引っ張りながら該ワイヤロープ５に沿ってネット６を空間部Ｋの外周に吊り張りする。
【００５３】また、上記駆動軸３を逆方向に同期して回転駆動することでワイヤロープ５をループ状に逆移動して、ネット６をワイヤロープ５に沿って収納方向に移動し空間部Ｋを開放する。
【００５４】上記のように、本発明はエンドレス方式のウインチでワイヤロープ５の駆動部と滑車の伝達部を兼用することができるので、設置するスペースを削減でき、設置スペースの確保が容易である。
【００５５】また、エンドレス方式のウインチの設置間隔の距離の長短を調整することで空間部Ｋの湾曲部分でも自在に対応することができる。
【００５６】上記実施例では、ネット６をループ状に架設したワイヤロープ５に直接連結したが、ネット６の取り付けはこれに限定されるものでなく、例えば、ループ状に架設したワイヤロープ５に並行にガイド用ワイヤロープ７を架設し、該ガイド用ワイヤロープ７に移動自在にネット６を取り付け、ネット６の先端側をループ状のワイヤロープ５に連結することでネット６の荷重をワイヤロープ５で受けることなくスムーズに開閉移動することができる。
【００５７】また、上記実施例では空間部Ｋの外周に沿ってワイヤロープ５を吊り張りしたが、本発明のエンドレス方式のウインチを用いた空間部を区画するシステムは、上記実施例に限定されるものでなく、空間部Ｋの対向する側面側の巻回ドラム２を構成するドラム２０間でループ状にワイヤロープ５を架設することで、ネット６を用いて空間部Ｋを同時に間仕切りすることも可能である。この場合も新たなウインチや滑車を設置することなく対応することができる。
【００５８】さらに、上記実施例ではワイヤロープ５をループ状に架設したが、本発明においてワイヤロープ５の架設方法はこれに限定されるものでなく、巻回ドラム２の駆動軸３に巻取方式のウインチの巻取ドラム１１をさらに駆動軸３に取り付けることも可能である。これにより、例えば、隣り合うエンドレス方式のウインチの駆動軸３にそれぞれ巻取ドラム１１を取り付け、該巻取ドラム１１に巻き取られたワイヤロープ１２をそれぞれ引き出し、ネット１３に連結する。そして、駆動軸３を回転駆動して巻取ドラム１１を回転することでワイヤロープ１２を引き出し移動及び巻取り移動しネット１１を昇降移動することができる。これにより、横方向に移動するネット６と、昇降移動するネット１３を組み合わせることができる。
【００５９】このように、本発明は巻回ドラム２を駆動軸３で回転駆動するドラム２０と駆動軸３にフリーなドラム２０を組み合わせて構成することで、巻回ドラム２に巻回したワイヤロープ５に生じる弛みや撓みを解消しながら移動することができる。
【００６０】しかも、駆動軸３にフリーのドラム２０は滑車としても利用できるために従来のように滑車の設置スペースを必要としない。
【００６１】さらに、駆動軸３に取り付けるドラム２０の組み合わせは自在に設定でき、複数のウインチとしての機能、及びエンドレス方式のみならず、巻取方式のウインチの機能を併用することができる。
【００６２】さらに、巻取ドラム２を構成する複数のドラム２０の径を相違することでワイヤロープ５の移動スピードを変更し、吊り張りするネット６の大きさ又はネット６の移動距離に自在に対応することができる。
【００６３】また、ドラム２０の溝２０Ｂに径の相違するワイヤロープ５〔径の小のワイヤロープ５を溝２０Ｂの底側、径の大のワイヤロープ５を溝２０Ｂの上側に位置して〕を巻回することで、１つのガイド２０で同時に複数のワイヤロープ５を移動することも可能である。
【図面の簡単な説明】
【００６４】
【図１】本発明のエンドレス方式のウインチの基本構成を示す概略説明側面図
【図２】駆動軸へのドラムの取り付け状況を示す概略説明側面図
【図３】エンドレス方式のウインチにワイヤロープ等の紐状体を巻き付けた状態を示す概略説明側面図
【図４】エンドレス方式のウインチにワイヤロープ等の紐状体を巻き付けた状態を示す概略説明側面図
【図５】エンドレス方式のウインチを用いて空間部をネット又はシートで区画するシステムの基本構成を示す概略説明図
【図６】図５に用いた滑車と滑車の組み合わせ状態を示す概略説明側面図
【図７】エンドレス方式のウインチを用いて空間部をネット又はシートで区画するシステムに他実施例を示す概略説明図
【図８】連続した空間部の和ウやロープ等の紐状体の移動を示す概略説明図
【図９】巻取方式のウインチの巻取ドラムを駆動軸に取り付けた状態を示す概略説明側面図
【図１０】図９の巻取ドラムを取り付けたウインチを用いて空間部を区画するシステムを示す概略説明図
【図１１】エンドレス方式のウインチの他実施例を示す概略説明側面図
【図１２】径の相違するワイヤロープ等の紐状体を移動するエンドレス方式のウインチを示す概略説明断面図
【図１３】エンドレス方式のウインチの各ドラムよりのワイヤロープ等の紐状体の移動を示す概略説明正面図
【符号の説明】
【００６５】２−巻回ドラム、３−駆動軸、５−ワイヤロープ
【図１】
2011168398.tif 000003
【図２】
2011168398.tif 000004
【図３】
2011168398.tif 000005
【図４】
2011168398.tif 000006
【図５】
2011168398.tif 000007
【図６】
2011168398.tif 000008
【図７】
2011168398.tif 000009
【図８】
2011168398.tif 000010
【図９】
2011168398.tif 000011
【図１０】
2011168398.tif 000012
【図１１】
2011168398.tif 000013
【図１２】
2011168398.tif 000014
【図１３】
2011168398.tif 000015
【手続補正書】
【提出日】平成22年11月25日(2010.11.25)
【手続補正１】
【補正対象書類名】特許請求の範囲
【補正対象項目名】請求項１
【補正方法】変更
【補正の内容】
【請求項１】
空間部の外周を区画及び空間部内を間仕切りするためにネット又はシートを連結したワイヤロープ等の紐状体をループ状に、又は巻取リングを組み合わせることでネット又はシートを連結したワイヤロープ等の紐状体を巻き取り及び引き出し移動し外周縁に溝の形成された巻回ドラムが駆動軸に取り付けられたエンドレス方式のウインチにおいて、前記巻回ドラムが、駆動軸に沿って回転駆動するドラムとベアリングを介して駆動軸に対してフリーのドラムを同一駆動軸に組み合わせ、巻回したワイヤロープ等の紐状体を回転駆動するドラムで駆動するとともにフリーの状態のドラムがワイヤロープ等の紐状体の弛み等に応じて引っ張られて回転すべく構成したことを特徴とするエンドレス方式のウインチ。